(57)【要約】【課題】高所作業用安全帯の機能を損なうことなく、前記高所作業用安全帯と重ねて着用可能で、上半身と、首元及び頭部全体と、を冷却可能な空調衣服を提供する。【解決手段】衣服用ファンを取り付けて衣服内に空気を送風する空調衣服であって、衣服外部と内部とを連通するように後身頃の下方の左右に設けられた衣服用ファン取付用孔と、襟の後方裏面側に配設された風道フードと、を具備すること、を特徴とする【選択図】図１
2018071032.tif 000002
【特許請求の範囲】
【請求項１】
衣服用ファンを取り付けて衣服内に空気を送風する空調衣服であって、
衣服外部と内部とを連通するように後身頃の下方の左右に設けられた衣服用ファン取付用孔と、襟の後方裏面側に配設された風道フードと、を具備すること、
を特徴とする空調衣服。
【請求項２】
衣服外部と内部とを連通するように前記後身頃の略背筋上方部にハーネス接続環露出用孔を具備すること、
を特徴とする請求項１に記載の空調衣服。
【請求項３】
前記衣服用ファン取付用孔が、縁部にリング状布を具備すること、
を特徴とする請求項１又は２に記載の空調衣服。
【請求項４】
前記リング状布に脱着自在で前記リング状布の孔を閉孔可能な閉孔蓋を有すること、
を特徴とする請求項１〜３のいずれかに記載の空調衣服。
【請求項５】
前記襟が、前記風道フードを内部に収納可能な構成を有すること、
を特徴とする請求項１〜４のいずれかに記載の空調衣服。
【発明の詳細な説明】
【技術分野】
【０００１】
本発明は、高所作業用安全帯と重ねて着用可能で、着用者の身体を冷却可能な空調衣服に関する。
【背景技術】
【０００２】
近年、高気温下での作業や運動から引き起こされる熱中症が問題視されている。熱中症とは、視床下部の体温を正常に保つ機能が低下することで全身の発汗作用が停止し、体温が過剰に上昇してしまう症状である。そのため、熱中症が引き起こされると適切な処置を早急に行うことが非常に重要であり、処置が遅れると死に至る可能性もある。
【０００３】
上記のような熱中症対策及び快適な作業環境を提供するために、身体を冷却しつつ作業や運動を可能とする空調衣服が知られるようになってきている（例えば、特許文献１参照）。空調衣服とは、衣服用ファンが一体的に構成された衣服であり、衣服と、身体又は下着と、の間に外気を取り入れ、本来身体の体温で温められたまま移動しない衣服内の空気を強制的に入れ替えるものである。
【０００４】
空調衣服に備えられている衣服用ファンは、概ね衣服の背面側における下部近傍に固定されている。使用者は空調衣服を着用し、衣服用ファンを駆動することによって、衣服と、身体又は下着と、の間に外気を取り入れ続けることとなり、身体の表面に沿って常時外気が流れるようになる。これにより、身体が必要とする放熱量に応じて排出される汗を気化させることができ、気化熱を奪うことで身体の冷却を可能とするものである。
【先行技術文献】
【特許文献】
【０００５】
【特許文献１】国際公開第０２／０６７７０８号パンフレット
【発明の概要】
【発明が解決しようとする課題】
【０００６】
しかしながら、従来の空調衣服は、より専門的な作業者に特化して構成されておらず、例えば高所での作業時に、安全綱（命綱）を接続するための高所作業用安全帯（安全綱を接続するためのフォールアレストを具備した作業者の身体に固定する帯）を装着しつつ重ねて着用することができなかった。
また、空調衣服内に取り込んだ空気の移動は腰部から上方及び首元から下方の範囲に限定されており、前記範囲の身体しか冷却効果を得ることができなかった。
【０００７】
ここで、空調衣服の構成に着目すると、背面側の生地で高所作業用安全帯が備えるフォールアレストを隠してしまい、安全綱を接続できない。また、通常の衣服形状のままでは空調の範囲が限定されてしまうことは明らかであって、未だ改善の余地があった。
降雨初期の雨水と、降雨中期以降の雨水と、の分別を行う構造に問題があり、前記構造では確実かつ効率的な雨水の分別と、簡便なメンテナンスと、を行うことができないことは明らかであって、未だ改善の余地があった。
【０００８】
そこで、本発明は、上記問題に鑑みて、高所作業用安全帯の機能を損なうことなく、前記高所作業用安全帯と重ねて着用可能で、更に上半身と、首元及び頭部全体と、を冷却可能な空調衣服を提供することを目的とする。
【課題を解決するための手段】
【０００９】
上記の課題を解決すべく、本発明は、
衣服用ファンを取り付けて衣服内に空気を送風する空調衣服であって、
衣服外部と内部とを連通するように後身頃の下方の左右に設けられた衣服用ファン取付用孔と、襟の後方裏面側に配設された風道フードと、を具備すること、
を特徴とする空調衣服を提供する。
【００１０】
このような構成を有する本発明の空調衣服は、衣服用ファンを取り付けて外部の空気を本空調衣服の内部に引き込み、着用者の上半身と、本空調衣服と、の隙間に空気の流れを作ることができる。また、風道フードをヘルメット等と接続することにより、首元から頭部まで空気を送ることができ、従来よりも更に冷却効果を向上させることができる。
【００１１】
また、上記の本発明の空調衣服においては、
衣服外部と内部とを連通するように前記後身頃の略背筋上方部にハーネス接続環露出用孔を具備することが望ましい。
【００１２】
このような構成を有する本発明の空調衣服は、高所作業用安全帯と重ねて着用することができ、前記高所作業用安全帯が備えるフォールアレストをハーネス接続環露出用孔から外部に露出させることで本空調衣服を着用しながら安全綱等を高所作業用安全帯につなげて使用することができる。
また、高所作業用安全帯を重ねて着用しない場合、ハーネス接続環露出用孔を閉じることにより、衣服用ファンで引き込んだ空気をハーネス接続環露出用孔から放出されることを防止し、より多くの空気を首元から頭部に送ることができる。ハーネス接続環露出用孔を開けば、衣服用ファンで引き込んだ空気をハーネス接続環露出用孔から放出させて、背中付近において衣服内部から外部への風の流れを強めて背中部分での冷却効果を高めることができる。
【００１３】
また、上記の本発明の空調衣服においては、
前記衣服用ファン取付用孔が、縁部にリング状布を具備することが望ましい。
【００１４】
また、上記の本発明の空調衣服においては、
前記リング状布に脱着自在で前記リング状布の孔を閉孔可能な閉孔蓋を有することが望ましい。
【００１５】
このような構成を有する本発明の空調衣服は、リング状布により衣服用ファン取付用孔の縁部が補強され、衣服用ファンの取付及び固定が容易かつ確実に行える。また、前記リング状布が面ファスナーを具備することで、閉孔蓋を貼り付けて衣服用ファン取付用孔を閉孔することができ、衣服用ファンを使用しない場合でも衣服本来の機能を損なうことなく使用することができる。
【００１６】
また、上記の本発明の空調衣服においては、
前記襟が、前記風道フードを内部に収納可能な構成を有すること、
【００１７】
このような構成を有する本発明の空調衣服は、ヘルメットを使用しない場合、風道フードを襟内部に収納することができる。
【図面の簡単な説明】
【００１８】
【図１】本実施形態における空調衣服１の構成を示す図であり、図１（ａ）は、本実施形態における空調衣服１の着用状態を正面側から示す模式図であって、図１（ｂ）は、本実施形態における空調衣服１の着用状態を背面側から示す模式図である。
【図２】図１に示す風道フード７の構成を示す模式図である。
【図３】図１に示す襟１５を用いた風道フード７の収納態様を説明する図であって、図３（ａ）は、風道フード７を折り畳む状態を示す模式図であり、図３（ｂ）は、風道フード７を襟１５内部に挿入した状態を示す模式図であり、図３（ｃ）は、襟１５が備えたファスナー２１を閉じる状態を示す模式図である。
【図４】図１に示すハーネス接続環露出用孔９を示す模式図である。
【図５】衣服用ファン取付用孔１１に衣服用ファン３を取付ける状態を示す模式図である。
【図６】衣服用ファン取付用孔１１に閉孔蓋２７を取付ける状態を示す模式図である。
【図７】図１に示すループ１３を示す模式図である。
【図８】図１に示すループ１３の配置方向を説明する図であって、図８（ａ）は、ループ１３を正面側配置した状態を示す模式図であり、図８（ｂ）は、ループ１３を内部側に配置した状体を示す模式図である
【図９】高所作業用安全帯５１と、本実施形態の空調衣服１と、を重ねて着用し、本空調衣服１を透視した状態を示す模式図である。
【図１０】風道フード７と、ヘルメット５３と、の接続手順を示す模式図である。
【発明を実施するための形態】
【００１９】
以下、本発明に係る空調衣服の代表的な実施形態を、図１〜図１０を参照しながら詳細に説明するが、本発明は図示されるものに限られない。また、各図面は本発明を概念的に説明するためのものであるから、理解容易のために、必要に応じて寸法、比又は数を誇張又は簡略化して表している場合もある。更に、以下の説明では、同一又は相当部分には同一符号を付し、重複する説明は省略することもある。
【００２０】
１．空調衣服の構造
＜空調衣服の概要＞
本実施形態の空調衣服１は、衣服に取り付けることにより前記衣服内に外気を取り込む衣服用ファン３を具備（取外し可能な構造であってもよい。）し、例えば作業服等として適用できるものであって、着用者は作業服内を快適に空調しつつ着用することができるものである。
【００２１】
更に、本空調衣服１はあらかじめ高所作業用安全帯５１（本明細書においては、以下「ハーネス」とも称する。）を装着した状態で高所作業用安全帯５１の上から着用（高所作業用安全帯５１が備えるフォールアレスト５５等の接続部は外部に露出する）することができ、より専門的な作業にも対応できるものである。
【００２２】
＜空調衣服の構成＞
図１（ａ）及び（ｂ）を用いて、本実施形態における空調衣服１の構成について説明する。図１（ａ）及び（ｂ）は、本実施形態における空調衣服１の構成を示す図であり、図１（ａ）は、本実施形態における空調衣服１の着用状態を正面側から示す模式図であって、図１（ｂ）は、本実施形態における空調衣服１の着用状態を背面側から示す模式図である。
【００２３】
図１に示すとおり、本空調衣服１は、概ね基本的な作業服の構造を備えた衣服本体部５を主部材とし、衣服本体部５の背面側上方（襟裏）に設けられた風道フード９と、衣服本体部５の背面側略中央に配設されたハーネス接続環露出用孔９と、衣服本体部５の背面側下方左右に夫々配設された衣服用ファン取付用孔１１と、衣服本体部５の正面側胸部左右に夫々配設されたループ１３と、を具備して構成されている。
以下、上述した各構成部材を詳細に説明する。
【００２４】
＜風道フード７＞
図２を用いて風道フード７を詳細に説明する。図２は、風道フード７の構成を示す模式図である。風道フード７は、一般的な衣服に付属する帽子的（頭部の一部を被覆）な用途を達成するものではなく、着用者が別途着用したヘルメット５３等に接続し、衣服用ファン３による衣服内の空調（気流）を意図的に首元及び頭部側に導くものである。
【００２５】
風道フード７は、例えば略矩形で衣服本体部５と略同材質の生地又は通気性の低い生地等で構成され、上方端部の前面に面ファスナー１９を具備し、下方端部を襟１５の後部側に縫着している。前記襟１５は、より具体的には、複数の生地を重ねて略袋状に構成され、外部と袋内部とを連通するフード挿入孔１７が背面側に配設されており、風道フード７は、一方の端部が襟１５の袋内部に縫着され、上記フード挿入孔１７を介して袋内部から外部に広げて出すことが可能である。
なお、フード挿入孔１７にはファスナー２１を取り付け、着用者が任意に開閉可能な構成とすることが望ましい。
【００２６】
次に、図３（ａ）（ｂ）（ｃ）を用いて襟１５の構造を用いた風道フード７の収納について説明する。図３（ａ）（ｂ）（ｃ）は、襟１５を用いた風道フード７の収納態様を説明する図であって、図３（ａ）は、風道フード７を折り畳む状態を示す模式図であり、図３（ｂ）は、風道フード７を襟１５内部に挿入した状態を示す模式図であり、図３（ｃ）は、襟１５が備えたファスナー２１を閉じる状態を示す模式図である。
【００２７】
図３（ａ）に示すように、まず、風道フード７を、折り畳む又は筒状に丸めつつ外部側から袋内部側に向かって小さく纏め、図３（ｂ）に示すように、襟１５のファスナー２１の開口から纏めた風道フード７全体を袋内部に挿入する。続いて、図３（ｃ）に示すように、襟１５のファスナー２１を徐々に閉じて開口を閉鎖し、風道フード７の収納が完了する。なお、上述では風道フード７を襟１５内に収納する方法について説明したが、襟１５から外部に取り出す場合、上記手順を逆に行うことで達成することができる。
【００２８】
＜ハーネス接続環露出用孔９＞
続いて、図４を用いてハーネス接続環露出用孔９の詳細について説明する。図４は、ハーネス接続環露出用孔９を示す模式図である。
図４に示すとおり、ハーネス接続環露出用孔９は、衣服本体部３の背面側略中央（具体的には両肩甲骨の中間近傍）に配設された孔であって、着用者が高所作業用安全帯５１を装着した場合、高所作業用安全帯５１が背面側に具備するフォールアレスト５５をハーネス接続用環露出用孔９から外部に露出させ、安全綱（図示せず。）等を接続することができる。即ち、ハーネス接続環露出用孔９を備えることにより、本実施形態の空調衣服１は、高所作業用安全帯５１と併用することができる。
【００２９】
ハーネス接続環露出用孔９は、所定の大きさに形成された横長の孔であって、開口部にダブルファスナー２３を具備し、左右どちらへも開閉可能に構成されている。また、ハーネス接続環露出用孔９の上方には、孔保護布２５が設けられており、ハーネス接続環露出用孔９の閉鎖時にはこの孔保護布２５を当接させてハーネス接続環露出用孔９及びダブルファスナー２３を保護することができる。
【００３０】
＜衣服用ファン取付用孔１１＞
次に、図５及び図６を用いて、衣服用ファン取付用孔１１の詳細について説明する。図５は、衣服用ファン取付用孔１１に衣服用ファン３を取付ける状態を示す模式図であって、図６は、衣服用ファン取付用孔１１に閉孔蓋２７を取付ける状態を示す模式図である。
【００３１】
衣服用ファン取付用孔１１は、前記衣服内に外気を取り込み、着用者の身体を効果的に冷却可能な衣服用ファン３を取り付けるための孔であって、衣服本体部５の背面側の下方左右に設けられている。なお、衣服用ファン３は、衣服本体部５に対して取外可能に構成されてもよいし、完全に固定されたものであってもよい。
【００３２】
衣服用ファン取付用孔１１は、略円形（衣服用ファン３の形状に合わせて孔の形状を構成することが望ましい。）の貫通孔であって、衣服本体部５の外部側と内部側とを連通している。また、前記衣服用ファン取付用孔１１の縁部には、比較的生地が厚く、中心部に孔を有するリング状布２９が備わっており、リング状布２９と衣服用ファン取付用孔１１との円心を合わせつつ衣服本体部５の内側に前記リング状条布２９が配置されるよう接着されている。
【００３３】
リング状布２９の一方の面（着用者側に対向する面）には、全面又は一部に面ファスナー３１が備わっており、衣服用ファン取付用孔１１を閉孔するための閉孔蓋２７を取り付けることができる。閉孔蓋２７は、リング状布２９と略同様の外形を有した円状の生地であり、リング状布２９と対向する面の一部（リング状布２９が備える面ファスナー３１と当接する部分）に面ファスナー３３を備えている。
【００３４】
衣服用ファン３を衣服本体部５から取り外した際には、衣服用ファン取付用孔１１により衣服本体部５に孔が開いた状態となってしまうが、着用者が冷却を必要としない場合は衣服用ファン取付用孔１１が不要となる（冬季等、防寒を必要とする時期には特に不要となる．）。本空調衣服１は、閉孔蓋２７を用いることにより、着用時期や環境温度に応じて着用者が任意に衣服用ファン取付用孔１１の開閉を行うことができる。
【００３５】
衣服用ファン３の取付に際しては、衣服本体部５の外部側から内部側に向かって衣服用ファン取付用孔１１に挿入し、前記衣服用ファン３の取付方法に従って固定する。また、閉孔蓋２７の取付は、衣服本体部５の内部側から前記閉孔蓋２７と衣服用ファン取付用孔１１とを同軸にしつつ当接し、双方の面ファスナー３１、３３を嵌合させることにより行う。
【００３６】
＜ループ１３＞
次に、図７を用いてループ１３について説明する。図７は、ループ１３を示すた模式図である。ループ１３は、着用者が多目的に使用可能で、例えば高所作業用安全帯５１に接続した安全綱やその他作業上必要とするカラビナ３５等を接続して一時的に配置させるものである。このため、作業者は上記安全綱やカラビナ３５等を持ち運ぶために手が拘束されることがない。
【００３７】
ループ１３は、所定の強度を有する厚手の生地を環状に構成し、衣服本体部５の胸部上方に縫着して固定されている。また、図８（ａ）及び（ｂ）に示すとおり、ループ１３は上方部が衣服本体部５の内部側に縫着されており、ループ用開口３７を介して外部側に露出している。このため、ループ１３は衣服本体部５の内部側に配置（収納）することも可能であり、着用者の任意でループ１３の配置（衣服本体部５の外部側又は内部側）を決定することができる。
【００３８】
なお、衣服本体部５の内部側に所定のバッテリーポケット（図示せず。）を設ければ、衣服用ファン３を駆動するためのバッテリーを収納して固定することができ、より利便性を向上することができる。また、衣服用ファン取付用孔１１と上記バッテリーポケットとの間に衣服用ファン３が具備する配線を固定可能な紐やテープ等（図示せず。）を備えれば、前記配線が垂れたり、引っ掛け等に起因する断線を防止することができる。
【００３９】
２．空調衣服１の着用方法
＜高所作業用安全帯５１と空調衣服１とを重ねた着用＞
次に、図９を用いて高所作業用安全帯５１と、本実施形態の空調衣服１と、を重ねた着用方法について説明する。図９は、高所作業用安全帯５１と、本実施形態の空調衣服１と、を重ねて着用し、本空調衣服１を透視した状態を示す模式図である。
【００４０】
上述のとおり、本実施形態の空調衣服１は、高所作業用安全帯５１の機能を妨害することなく、重ねて上から着用することができるものである。まず、着用者は高所作業用安全帯５１を身体に装着し（装着する高所作業用安全帯５１の着用方法に従って行う。）、帯及びフォールアレスト５５が所定の位置に配置されたことを確認する（併せて四肢に固定した帯の環内に過剰なクリアランスがないことも確認する。）。
【００４１】
次に、本実施形態の空調衣服１を準備し、衣服本体部５が備える衣服用ファン取付用孔１１に衣服用ファン３を挿入して固定する（バッテリー等は所定のバッテリーポケット等に収納する。）。着用者は本空調衣服１に袖を通し、前身頃を閉じた後、背面部のハーネス接続環露出用孔９を介して高所作業用安全帯５１が備えるフォールアレスト５５を外部に露出させる。
【００４２】
ハーネス接続環露出用孔９の開閉操作及び前記ハーネス接続環露出用孔９を介したフォールアレスト５５の露出は、作業者の背面側で行うことになるため、前記手順は必然的に他者の手を借りて行えばよい。
【００４３】
＜風道フード７とヘルメット５３との接続＞
次に、図１０を用いて風道フード７と、ヘルメット５３と、の接続方法について説明する。図１０は、風道フード７と、ヘルメット５３と、の接続手順の一例を示す模式図である。
【００４４】
まず、ヘルメット５３の後頭部側における所定の位置に、面ファスナー３９を貼り付ける。続いて、作業者は襟１５のファスナーを開いて前記襟１５の内部に収納された風道フード７を外部側に取り出し、収納時の折り目を伸ばしながら広げる。前記風道フード７を上方に引き上げつつ、上方側の端部に備えた面ファスナー１９をヘルメット５３に貼り付けた面ファスナー３９に当接して嵌合させ、風道フード７とヘルメット５３とを接続させる。なお、前記接続時は双方の面ファスナー１９、３９の嵌合部が皺や隙間なく当接するように行うことが望ましい。
上記手順で本実施形態における空調衣服１の着用が完了する。
【００４５】
３．空調衣服１による空調効果
＜空調衣服１による気流の流れ＞
次に、本実施形態の空調衣服１による空調効果を説明する。図１に示すとおり、本空調衣服１は、背面側の下方左右に取り付けた衣服用ファン３により、外部側の空気を内部側に取り込み、気流を発生させて循環することで空調を達成している。具体的には、まず衣服用ファン３が、備えたファンを回転させることによって外部側の空気を内部側に引き込む。本空調衣服１の内部側に引き込まれた空気で、本空調衣服１の背面側の下方から充満していき（空気が背面側の下方に溜り）、着用者の身体と本空調衣服１との隙間を広げつつ徐々に上方及び前面側に移動する。
【００４６】
本空調衣服１の内部に一定量の空気で入ると、主にハーネス接続環露出用孔９と、首元の隙間と、空調衣服１の下方側（腰部近傍）と、から外部に放出される。しかしながら、首元後方側の隙間から放出された空気は、風道フード７により完全に外部には放出されず、前記風道フード７がガイドとなって更に上方に移動し、着用者の首元を冷却しつつヘルメット５３に到着する。
【００４７】
建設現場等で使用されるヘルメット５３は、内面と頭部とが密着しない構造となっており、前記内面と頭部との間に中空層が設けられているものが多い。このため、ヘルメット５３に到着した空気は後頭部から上記中空層に侵入し、内部で拡散して頭部全体を冷却することができる。
【００４８】
更に、着用者が高所作業用安全帯５１を着用している場合は、腰部から首元近傍まで背筋に沿って帯が配置されることから、他部と比して身体と本空調衣服１との間に隙間が発生しやすい。このため、本空調衣服１の下方左右から内部側に引き込まれた空気が背筋の隙間に沿って上方に移動しやすく、特に冷却の効果を体感し易い腰部から背筋、そして首元にかけて気流を発生させることができる。
【００４９】
以上のように、本実施形態の空調衣服１は、高所作業用安全帯５１と併用することができ、更に前記高所作業用安全帯５１の構造を利用して空調効果を高めることができるものである。また、本空調衣服１から衣服用ファン３を取り外した際においても衣服本来の機能を低下させることなく快適に使用できるよう鋭意検討し発明されたものである。
【００５０】
以上、本発明の代表的な実施形態について図面を参照しつつ説明してきたが、本発明は、これらの実施形態に限定されるものではなく、特許請求の範囲の記載の精神及び教示を逸脱しない範囲でその他の改良例、変形が存在することを当業者に容易に理解される。
【産業上の利用可能性】
【００５１】
本発明の空調衣服１は、高所作業用安全帯の機能を損なうことなく、前記高所作業用安全帯と重ねて着用可能で、更に上半身と、首元及び頭部全体と、の冷却を可能にするものである。
【符号の説明】
【００５２】
１      空調衣服
３      衣服用ファン
５      衣服本体部
７      風道フード
９      ハーネス接続環露出用孔
１１    衣服用ファン取付用孔
１３    ループ
１５    襟
１７    フード挿入孔
１９    面ファスナー
２１    ファスナー
２３    ダブルファスナー
２５    孔保護布
２７    閉孔蓋
２９    リング状布
３１    面ファスナー
３３    面ファスナー
３５    カラビナ
３７    ループ用開口
３９    面ファスナー
５１    高所作業用安全帯    
５３    ヘルメット
５５    フォールアレスト
【図１】
2018071032.tif 000003
【図２】
2018071032.tif 000004
【図３】
2018071032.tif 000005
【図４】
2018071032.tif 000006
【図５】
2018071032.tif 000007
【図６】
2018071032.tif 000008
【図７】
2018071032.tif 000009
【図８】
2018071032.tif 000010
【図９】
2018071032.tif 000011
【図１０】
2018071032.tif 000012
【手続補正書】
【提出日】平成29年1月26日(2017.1.26)
【手続補正１】
【補正対象書類名】特許請求の範囲
【補正対象項目名】全文
【補正方法】変更
【補正の内容】
【特許請求の範囲】
【請求項１】
衣服用ファンを取り付けて衣服内に空気を送風する空調衣服であって、
衣服外部と内部とを連通するように後身頃の下方の左右に設けられた衣服用ファン取付用孔と、襟の後方裏面側に配設され、ヘルメットに接続する略矩形の風道フードと、を具備すること、
を特徴とする空調衣服。
【請求項２】
衣服外部と内部とを連通するように前記後身頃の略背筋上方部にハーネス接続環露出用孔を具備すること、
を特徴とする請求項１に記載の空調衣服。
【請求項３】
前記衣服用ファン取付用孔が、縁部にリング状布を具備すること、
を特徴とする請求項１又は２に記載の空調衣服。
【請求項４】
前記リング状布に脱着自在で前記リング状布の孔を閉孔可能な閉孔蓋を有すること、
を特徴とする請求項３に記載の空調衣服。
【請求項５】
前記襟が、前記風道フードを内部に収納可能な構成を有すること、
を特徴とする請求項１〜４のいずれかに記載の空調衣服。
【手続補正書】
【提出日】平成29年6月7日(2017.6.7)
【手続補正１】
【補正対象書類名】特許請求の範囲
【補正対象項目名】全文
【補正方法】変更
【補正の内容】
【特許請求の範囲】
【請求項１】
衣服用ファンを取り付けて衣服内に空気を送風する空調衣服であって、
衣服外部と内部とを連通するように後身頃の下方の左右に設けられた衣服用ファン取付用孔と、
下方端部において襟の後方裏面側に配設されており、上方端部においてヘルメットに接続される略矩形の風道フードと、
を具備すること、
を特徴とする空調衣服。
【請求項２】
衣服外部と内部とを連通するように前記後身頃の略背筋上方部にハーネス接続環露出用孔を具備すること、
を特徴とする請求項１に記載の空調衣服。
【請求項３】
前記衣服用ファン取付用孔が、縁部にリング状布を具備すること、
を特徴とする請求項１又は２に記載の空調衣服。
【請求項４】
前記リング状布に脱着自在で前記リング状布の孔を閉孔可能な閉孔蓋を有すること、
を特徴とする請求項３に記載の空調衣服。
【請求項５】
前記襟が、前記風道フードを内部に収納可能な構成を有すること、
を特徴とする請求項１〜４のいずれかに記載の空調衣服。